(57)【要約】【課題】情報が掲載された情報掲載カードを表示する情報表示装置、及び情報表示プログラムであって、情報を迅速且つ容易に把握可能な情報表示装置、及び情報表示プログラムを提供することを課題とする。【解決手段】情報取得手段３６ｄと、該情報取得手段３６ｄによって取得した掲載情報を掲載した情報掲載カード５１をモニタ３５に表示させるカード表示手段３６ａと、情報掲載カード５１をスライドさせるスライド操作手段３６ｆとを備え、該カード表示手段３６ａは、前記情報取得手段３６ｄによって複数の情報掲載カード５１に関する掲載情報が取得された場合には、そのうちの２以上の情報掲載カード５１を重ねた状態でモニタ３５に一括表示させるとともに、該複数の情報掲載カード５１中の少なくも２つの情報掲載カード５１はそれぞれ上記メイン情報が表示された部分を露出させて、モニタ３５に表示する。【選択図】図４
2017126128.tif 000002
【特許請求の範囲】
【請求項１】
情報が掲載された情報掲載カードをモニタに表示する情報表示装置であって、
情報掲載カードに掲載するメイン情報及びその他の詳細情報からなる掲載情報を、自己の記憶装置から取得するか、或いはネットワークを介して情報管理サーバから取得する情報取得手段と、
該情報取得手段によって取得した掲載情報を掲載した情報掲載カードをモニタに表示させるカード表示手段と、
モニタに表示された情報掲載カードをスライドさせるスライド操作を行うスライド操作手段とを備え、
該カード表示手段は、
前記情報取得手段によって複数の情報掲載カードに関する掲載情報が取得された場合には、そのうちの２以上の情報掲載カードを、重ねた状態で、モニタに一括表示させるとともに、
該重ねて表示された複数の情報掲載カード中の少なくも２つの情報掲載カード又は全ての情報掲載カードは、それぞれ上記メイン情報が表示された部分を露出させて、モニタに表示する
ことを特徴とする情報表示装置。
【請求項２】
前記カード表示手段は、重ねて表示された複数の情報掲載カード中の少なくとも一枚を、詳細情報が表示される部分の少なくとも一部も露出した状態で、選択可能情報掲載カードとして、モニタに表示させるように構成され、
該カード表示手段によって表示された上記選択可能情報掲載カードを選択する選択操作手段と、
該選択操作手段によって選択された情報掲載カードである選択情報掲載カードにおけるメイン情報が表示された側の面である表面全体を、モニタに表示させる選択カード表面表示手段とを備えた
請求項１に記載の情報表示装置。
【請求項３】
前記スライド操作手段は、モニタに表示させる選択可能情報掲載カードを、前記情報取得手段によって取得された複数の情報掲載カードから選択して切替える切替操作手段である
請求項２に記載の情報表示装置。
【請求項４】
前記選択操作手段による選択を解除して、前記選択カード表面表示手段によってモニタに表示された選択カード表面表示画面から、前記カード表示手段によってモニタに表示されるカード表示画面への切替操作を行う選択解除操作手段を備えた
請求項２又は３の何れかに記載の情報表示装置。
【請求項５】
選択情報掲載カードの情報を表示する選択カード情報表示手段と、
選択カード表面表示手段によってモニタに表示された選択カード表面表示画面から、選択カード情報表示手段によってモニタに表示された選択カード情報表示画面への切替操作を行う情報表示操作手段と備えた
請求項２乃至４の何れかに記載の情報表示装置。
【請求項６】
情報表示を解除して、選択カード情報表示手段によってモニタに表示された選択カード情報表示画面から、前記カード表示手段によってモニタに表示されるカード表示画面への戻り操作を行うリターン操作手段を備えた
請求項５に記載の情報表示装置。
【請求項７】
前記情報掲載カードは、店舗の会員カードであり、
前記情報取得手段によって取得される掲載情報には、店舗の会員の種類が本会員又は仮会員の何れであるかを示すステータス情報が含まれ、
前記カード表示手段は、ステータス情報が識別可能な状態で、複数の会員カードをモニタに表示する
請求項１乃至６の何れかに記載の情報表示装置。
【請求項８】
情報が掲載された情報掲載カードをコンピュータのモニタに表示させる情報表示プログラムであって、
情報掲載カードに掲載するメイン情報及びその他の詳細情報からなる掲載情報を、自己の記憶装置から取得するか、或いはネットワークを介して情報管理サーバから取得する情報取得処理と、
モニタに表示される情報掲載カードをスライドさせるスライド操作を行うスライド操作処理と、
該情報取得処理によって取得した掲載情報が掲載された情報掲載カードを、コンピュータのモニタに表示させるにあたり、前記情報取得処理によって複数の情報掲載カードに関する掲載情報が取得された場合には、そのうちの２以上の情報掲載カードを、重ねた状態で、モニタに一括表示させるとともに、該重ねて表示された複数の情報掲載カード中の少なくも２つの情報掲載カード又は全ての情報掲載カードは、それぞれ上記メイン情報が表示された部分を露出させて、モニタに表示するカード表示処理とを
実行させるための情報表示プログラム。
【発明の詳細な説明】
【技術分野】
【０００１】
この発明は、情報が掲載された情報掲載カードを表示する情報表示装置、及び情報表示プログラムに関する。
【背景技術】
【０００２】
ホームページ等によって、情報を、確認することは、従来公知から広く行われているが、近年では、情報の把握を容易にする目的で、情報が掲載された情報掲載カードをモニタに表示する情報表示装置及びプログラムが公知になっている（例えば、特許文献１を参照）。
【先行技術文献】
【特許文献】
【０００３】
【特許文献１】国際公開第２００６／０７０６０９号パンフレット
【発明の概要】
【発明が解決しようとする課題】
【０００４】
上記文献に記載された情報表示装置及びプログラムによれば、モニタに表示された情報掲載カードに、情報を、整理して掲載可能になるため、該情報の把握が容易になる。
しかし、モニタのサイズに限りがあるため、複数の情報掲載カードを、一括してモニタに表示させた場合、個々の情報掲載カードが小さくなって見難くなる一方で、情報掲載カードを１枚づつ表示させると、モニタに表示させる情報掲載カードの切替がその都度必要になり、情報に迅速にアクセスすることが困難になる。
【０００５】
本発明は、情報が掲載された情報掲載カードを表示する情報表示装置、及び情報表示プログラムであって、情報を迅速且つ容易に把握可能な情報表示装置、及び情報表示プログラムを提供することを課題とする。
【課題を解決するための手段】
【０００６】
本発明の情報表示装置は、情報が掲載された情報掲載カードをモニタに表示する情報表示装置であって、情報掲載カードに掲載するメイン情報及びその他の詳細情報からなる掲載情報を、自己の記憶装置から取得するか、或いはネットワークを介して情報管理サーバから取得する情報取得手段と、該情報取得手段によって取得した掲載情報を掲載した情報掲載カードをモニタに表示させるカード表示手段と、モニタに表示された情報掲載カードをスライドさせるスライド操作を行うスライド操作手段とを備え、該カード表示手段は、前記情報取得手段によって複数の情報掲載カードに関する掲載情報が取得された場合には、そのうちの２以上の情報掲載カードを、重ねた状態で、モニタに一括表示させるとともに、該重ねて表示された複数の情報掲載カード中の少なくも２つの情報掲載カード又は全ての情報掲載カードは、それぞれ上記メイン情報が表示された部分を露出させて、モニタに表示することを特徴とする。
【０００７】
上記構成とすることで、モニタに一括表示された複数の情報掲載カード中の少なくも２つの情報掲載カード又は全ての情報掲載カードが、メイン情報が露出した状態で、表示されるため、情報を迅速且つ容易に把握できる。
【０００８】
前記カード表示手段は、重ねて表示された複数の情報掲載カード中の少なくとも一枚を、詳細情報が表示される部分の少なくとも一部も露出した状態で、選択可能情報掲載カードとして、モニタに表示させるように構成され、該カード表示手段によって表示された上記選択可能情報掲載カードを選択する選択操作手段と、該選択操作手段によって選択された情報掲載カードである選択情報掲載カードにおけるメイン情報が表示された側の面である表面全体を、モニタに表示させる選択カード表面表示手段とを備えたものとしてもよい。
【０００９】
前記スライド操作手段は、モニタに表示させる選択可能情報掲載カードを、前記情報取得手段によって取得された複数の情報掲載カードから選択して切替える切替操作手段であるものとしてもよい。
【００１０】
前記選択操作手段による選択を解除して、前記選択カード表面表示手段によってモニタに表示された選択カード表面表示画面から、前記カード表示手段によってモニタに表示されるカード表示画面への切替操作を行う選択解除操作手段を備えたものとしてもよい。
【００１１】
選択情報掲載カードの情報を表示する選択カード情報表示手段と、選択カード表面表示手段によってモニタに表示された選択カード表面表示画面から、選択カード情報表示手段によってモニタに表示された選択カード情報表示画面への切替操作を行う情報表示操作手段と備えたものとしてもよい。
【００１２】
情報表示を解除して、選択カード情報表示手段によってモニタに表示された選択カード情報表示画面から、前記カード表示手段によってモニタに表示されるカード表示画面への戻り操作を行うリターン操作手段を備えたものとしてもよい。
【００１３】
前記情報掲載カードは、店舗の会員カードであり、前記情報取得手段によって取得される掲載情報には、店舗の会員の種類が本会員又は仮会員の何れであるかを示すステータス情報が含まれ、前記カード表示手段は、ステータス情報が識別可能な状態で、複数の会員カードをモニタに表示するものとしてもよい。
【００１４】
本発明の情報表示プログラムは、情報が掲載された情報掲載カードをコンピュータのモニタに表示させる情報表示プログラムであって、情報掲載カードに掲載するメイン情報及びその他の詳細情報からなる掲載情報を、自己の記憶装置から取得するか、或いはネットワークを介して情報管理サーバから取得する情報取得処理と、モニタに表示される情報掲載カードをスライドさせるスライド操作を行うスライド操作処理と、該情報取得処理によって取得した掲載情報が掲載された情報掲載カードを、コンピュータのモニタに表示させるにあたり、前記情報取得処理によって複数の情報掲載カードに関する掲載情報が取得された場合には、そのうちの２以上の情報掲載カードを、重ねた状態で、モニタに一括表示させるとともに、該重ねて表示された複数の情報掲載カード中の少なくも２つの情報掲載カード又は全ての情報掲載カードは、それぞれ上記メイン情報が表示された部分を露出させて、モニタに表示するカード表示処理とを実行させることを特徴としている。
【発明の効果】
【００１５】
モニタに一括表示された複数の情報掲載カード中の少なくも２つの情報掲載カード又は全ての情報掲載カードが、メイン情報が露出した状態で、表示されるため、情報を迅速且つ容易に把握できる。
【図面の簡単な説明】
【００１６】
【図１】本発明を適用した情報管理システムの概要を示すブロック図である。
【図２】情報管理サーバの記憶装置に構築されたデータベースの構造を説明する説明図である。
【図３】ユーザ端末の制御部の構成を示すブロック図である。
【図４】モニタに表示された店舗情報の一例を説明する説明図である。
【図５】モニタに表示された店舗情報の一例を説明する説明図である。
【図６】モニタに表示された店舗情報の一例を説明する説明図である。
【図７】モニタに表示された店舗情報の一例を説明する説明図である。
【図８】モニタに表示された店舗情報の一例を説明する説明図である。
【発明を実施するための形態】
【００１７】
図１は、本発明を適用した情報管理システムの概要を示すブロック図である。同図に示す情報管理システムは、店舗の店舗名を含む情報（店舗情報，掲載情報）を管理する情報管理サーバ１０と、情報管理サーバとネットワーク２０を介して接続されたユーザ端末（情報表示装置）３０及び店舗端末４０とを備えている。
【００１８】
上記ネットワーク２０は、ＴＣＰ／ＩＰ等の汎用通信プロトコルを用いたインターネット等のグローバルネットワークである。
【００１９】
上記情報管理サーバ１０は、各種情報を記憶する記憶装置１１と、ネットワーク２０を介した通信に対応した通信インターフェース（通信手段）１２と、ＣＰＵ及びＲＡＭ等から構成された制御部１３とを備えている。
【００２０】
この制御部１３は、記憶装置１１に記憶されたプログラムをＲＡＭ上でＣＰＵにより実行させるとともに、通信インターフェース１２を介して、他のコンピュータと通信を行うことが可能である。
【００２１】
上記ユーザ端末３０は、この情報管理システムを利用するユーザが操作する情報端末であって、各種情報を記憶する記憶装置３１と、ネットワーク２０を介した通信に対応した通信インターフェース（通信手段）３２と、該ユーザ端末３０の位置情報を取得するＧＰＳ（位置情報取得手段）３３と、画像を撮影して取得するカメラ（画像取得手段）３４と、タッチパネル３５と、ＣＰＵ及びＲＡＭ等から構成された制御部３６とを備えている。
【００２２】
タッチパネル３５は、タッチセンサを備えたモニタであって、ユーザからの入力操作を受付ける入力手段３５ａとユーザに画像（情報）を出力する出力手段３５ｂとを有している。
【００２３】
制御部３７は、記憶装置３１に記憶されたプログラムをＲＡＭ上でＣＰＵにより実行させ、通信インターフェース３２を介して、他のコンピュータと通信を行い、ＧＰＳ３３から自己の位置情報を取得し、カメラ３４から撮影画像を取得し、入力手段３５ａからの操作信号を受取り、出力手段３５ｂによってタッチパネル３５への情報出力を行う。
【００２４】
店舗端末４０は、ネットワーク２０を介して情報管理サーバ１０と接続され、自己の店舗情報を情報管理サーバ１０に登録する他、その店舗のＰＯＳシステム等と連動し、必要な情報を情報管理サーバ１０に送信する。
【００２５】
この情報管理システムでは、店舗情報が店舗端末４０等によって情報管理サーバ１０に集約されて管理され、この店舗情報は、情報管理サーバ１０によって、必要に応じて、ユーザ端末３０に提供される。ユーザ端末３０に提供される店舗情報は、店舗毎に整理された店舗カード（情報掲載カード）５１（図４乃至図７参照）として、ユーザ端末３０のモニタ３５に表示される。
【００２６】
この店舗カード５１は、具体的には、ユーザが店舗に会員登録を行った際に該店舗から発行される仮想の会員カードであり、ユーザは、この仮想の会員カード５１を用い、その店舗で、ポイントを溜めることや、ポイントを利用することが可能になる。
【００２７】
また、この会員カード５１は、店舗毎に、１ユーザに対して１枚発行されるため、複数店舗の会員カード５１を、一人のユーザが保持することが可能であり、この場合には、その複数枚の会員カード５１を、自己のユーザ端末３０に集約して管理可能になるため、利便性が高い。
【００２８】
さらに、自身が会員になっている店舗の情報にアクセスする際も、カード形式で情報が整理された状態の店舗情報が、自己のユーザ端末３０のモニタ３５に表示されるため、情報の把握が容易になる。
【００２９】
なお、本情報管理システムの情報掲載カード５１は、会員カードに限定されるものではなく、店舗名に対応したメイン情報及びその他の店舗の住所等に対応した詳細情報を含む掲載情報をカード毎にまとめて掲載するものであり、カード形式でモニタ３５に表示させるものであれば、どのような種類の情報にも適用可能である。例えば、ファンカードや、イベントカードや、営業マンが営業に用いる個人カードや、店舗のクーポンカードや、トレーディングカード等に適用可能である。
【００３０】
図２は、情報管理サーバの記憶装置に構築されたデータベースの構造を説明する説明図である。各店舗の情報や、各ユーザの情報や、各店舗カード５１の情報は、記憶装置１１において、汎用型のデータベースで管理され、図示する例では、リレーショナブルデータベースを用いて管理されている。
【００３１】
具体的には、店舗の情報を管理するするデータテーブルである店舗テーブル１１ａと、ユーザの情報を管理するデータテーブルであるユーザテーブル１１ｂと、店舗に入会した会員の情報を管理する会員テーブル１１ｃとを有している。
【００３２】
店舗テーブル１１ａは、フィールドのイニシャルＩＤとして「店舗ＩＤ」を有するとともに、その他のフィールドとして、店舗名（メイン情報）を格納する「店舗名」と、その店舗の分野を格納する「分野」と、その店舗のジャンルを格納する「ジャンル」と、その店舗の連絡先の電子メールアドレスを格納する「ｅ−ｍａｉｌ」と、その店舗の連絡先の電話番号を格納する「電話番号」と、その店舗がある住所の郵便番号を格納する「郵便番号」と、その店舗の住所を格納する「住所」とを有している。
【００３３】
上記「分野」は、例えば、サロン、レストラン等の大きな区分けを記録させ、上記「ジャンル」は、その大きな区分けをより具体的化させたヘヤサロン、カレー等の区分けを記録させる。なお、この「分野」と「ジャンル」のフィールドは、１つにまとめてもよい。
【００３４】
この店舗テーブル１１ａへの情報の登録（記録）作業は、ネットワーク２０を介して、店舗の店舗端末４０から行ってもよいし、或いは店舗から事前に知らされた情報に基づいて、情報管理サーバ１０に直接入力してもよい。
【００３５】
ユーザテーブル１１ｂは、フィールドのイニシャルＩＤとして「ユーザＩＤ」を有するとともに、その他のフィールドとして、ユーザ名を格納する「ユーザ名」と、そのユーザのユーザ名のフリガナを格納する「フリガナ」と、そのユーザの連絡先の電子メールアドレスを格納する「ｅ−ｍａｉｌ」と、そのユーザの性別を「男」か「女」で格納する「性別」と、そのユーザの生年月日を格納する「生年月日」と、そのユーザの連絡先の電話番号を格納する「電話番号」と、そのユーザが住んでいる住所の郵便番号を格納する「郵便番号」と、そのユーザの住所を格納する「住所」とを有している。
【００３６】
このユーザテーブル１１ｂへの情報の登録（記録）作業は、この情報管理システムの利用を希望する者が、ユーザ端末３０を介して、ユーザ登録を行うことにより、行ってもよいし、その者から、事前に必要な情報を教えてもらい、その情報を、情報管理サーバ１０に直接入力してもよい。ちなみに、ここで、「ユーザ」とは、上記ユーザ登録を行った者を意味する。
【００３７】
会員テーブル１１ｃは、フィールドのイニシャルＩＤとして「会員ＩＤ」を有するとともに、その他のフィールドとして、店舗テーブル１１ａ及びユーザテーブル１１ｂとそれぞれリレーションシップされた「店舗ＩＤ」及び「ユーザＩＤ」と、その会員がその店舗の本会員又は仮会員の何れであるかを格納する「ステータス」と、その会員が入会した日を格納する「入会日」と、その会員のランクを格納する「ランク」と、その会員がその店舗で保有するポイントを格納する「ポイント」と、その会員が保有するポイントの有効期限を格納する「有効期限」とを有している。
【００３８】
会員テーブル１１ｃは、店舗テーブル１１ａとの間で、フィールド「店舗ＩＤ」により、多対一のリレーションシップを行っている。このリレーションシップによって、会員テーブル１１ｃは、その会員が所属する店舗の情報を、店舗テーブル１１ａに格納された情報から取得する。
【００３９】
会員テーブル１１ｃは、ユーザテーブル１１ｂとの間で、フィールド「ユーザＩＤ」により、多対一のリレーションシップを行っている。このリレーションシップによって、会員テーブル１１ｃは、その会員になったユーザの情報を、ユーザテーブル１１ｂに格納された情報から取得する。
【００４０】
また、「ステータス」について説明すると、例えば、ユーザが、まずは店舗の仮会員になるための会員登録を行い、そのユーザが、仮会員として、店舗に訪れた際、その店舗において、所定の処理を行った場合に、仮会員から本会員への変更を行ってもよい。ちなみに、ユーザが行う仮会員への会員登録作業や、店舗側で行う仮会員から本会員への変更作業は、後述する。
【００４１】
さらに、会員の「ポイント」は、その会員が、店舗で、お金の代わりに利用可能であり、会員の「ランク」は、そのランクの高さに応じて、商品購入やサービス提供代金の支払いをする際の割引率等を変更してもよい。
【００４２】
この会員テーブル１１ｃへの情報の登録（会員登録）は、ネットワーク２０を介して、ユーザがユーザ端末３０から行ってもよいし、そのユーザ訪れた店舗で、店舗端末４０から、ネットワーク２０を介して、行ってもよい。
【００４３】
次に、図１乃至図８に基づき、会員カード５１のユーザへの情報提供の具体的手段について説明する。
【００４４】
図３は、ユーザ端末の制御部の構成を示すブロック図であり、図４乃至図８は、モニタに表示された店舗情報の一例を説明する説明図である。ユーザ端末３０は、図示する例では、スマートフォンであり、所定のアプリケーションである会員カード管理プログラム（情報表示プログラム）を、このユーザ端末３０にインストールすることにより、本情報管理システムが利用可能になる。
【００４５】
制御部３６は、上記インストールによって、複数枚の会員カード５１をモニタ３５に一括表示させることが可能なカード表示画面６０をモニタ３５に出力表示するカード表示手段（カード表示処理）３６ａと、カード表示画面６０に表示された会員カード５１から選択した会員カード５１である選択会員カード（選択店舗カード）５１Ｂの表面全体が表示される選択カード表面表示画面７０をモニタ３５に出力表示する選択カード表面表示手段（選択カード表面表示処理）３６ｂと、選択カード表面表示画面７０に表示された選択会員カード５１Ａの詳細なカード情報（裏面情報）が示された選択カード情報表示画面８０をモニタ３５に出力表示する選択カード情報表示手段３６ｃと、情報取得手段（情報取得処理）３６ｄとを実行可能に有することになる。
【００４６】
上記情報取得手段３６ｄは、そのユーザが仮会員及び本会員として会員登録している店舗の会員カード５１の全ての情報を、ネットワーク２０を介して、情報管理サーバ１０から取得する。取得する情報には、具体的には、会員テーブル１１ｃ自体の情報及び会員テーブル１１ｃからリレーションシップされる情報が含まれ、これらの情報は、一括して最初に取得してもよいが、必要に応じて、適宜取得してもよい。
【００４７】
なお、このように取得される情報は、ユーザ端末３０の記憶装置３１に予め記憶させておいてもよく、この場合には、情報取得手段３６ｄは、上記記憶装置３１から上記情報を取得する。
【００４８】
上記カード表示画面６０は、図４乃至図６に示す通り、そのユーザが複数の店舗に会員登録している場合、該カード表示画面６０には、複数の会員カード５１が、縦長な姿勢で全て表を向けられた状態で、重ねて、表示される。
【００４９】
そして、表層側に位置する会員カード５１程、モニタ３５の下部（ユーザから見て手前側）にずらして表示され、これによって、少なくとも２枚の会員カード５１（図示する例では、モニタ３５に表示された全ての会員カード５１）は、その上部に示された店舗名が露出してモニタ３５に表示される。
【００５０】
言換えると、縦長の会員カード５１の上部（奥側）の左右一方側部分は、店舗名を表示する店舗名表示部５１ａになり、モニタ３５に表示された複数の会員カード５１は、全て、店舗名が記された店舗名表示部５１ａが隠れずに表示された状態で、カード表示画面６０に表示される。この他、会員カード５１の表面における店舗名表示部５１ａ以外の大部分は、絵柄や店舗のロゴ等が表示されるメイン表示部５１ｂになる。
【００５１】
また、カード表示画面６０に重ねて表示された複数の会員カード５１中、少なくとも１枚の会員カード５１は、その表面の店舗名以外の少なくとも一部又は全部（具体的には、メイン表示分５１ｂの一部）が露出して表示される選択可能会員カード（選択可能店舗カード）５１´になる。
【００５２】
言換えると、カード表示画面６０に重ねて表示された複数の会員カード５１中、一部の会員カード５１である選択可能会員カード５１´は、その他の前記表示された会員カード５１に比べて、より広い領域が露出して表示されている。
【００５３】
そして、タッチパネル３５において、この選択可能会員カード５１´が表示された部分をタップすると、この選択可能会員カード５１´の表面全体が、選択会員カード５１Ａとして、選択カード表面表示画面７０（図７参照）に表示される。すなわち、このタップを可能にするタッチパネル３５のタップ操作手段は、選択可能会員カード５１´を選択する選択操作手段３６ｅ（図３参照）になる。
【００５４】
ちなみに、モニタ３５が、カード表示画面６０から、選択カード表面表示画面７０に切替る際には、重ねられた複数の会員カード５１中から、選択会員カード５１Ａが取出されるような演出がモニタ３５に表示される。
【００５５】
また、カード表示画面６０において、タッチパネル３５をスライド操作すると、選択可能会員カード５１´として表示される会員カード５１が、それまでよりも、より表層側又は深層側に遷移するようにスライドされる。すなわち、カード表示画面６０が表示されている状態での上記スライド操作を可能とするスライド操作手段（スライド操作処理）は、選択可能会員カード５１´として表示する会員カード５１を選択切替する切替操作手段３６ｆになる。
【００５６】
具体的には、スライド操作時の操作方向は、ずらして重ねられた状態で表示された複数の会員カード５１の該ずらし方向（具体的には、表示された会員カード５１の長手方向）に設定してもよく、そのスライド操作位置も、重ねられた複数の会員カード５１が表示された部分に限定してもよい。
【００５７】
また、切替選択時の遷移方向も、スライド操作方向に対応させてもよく、例えば、タッチパネル３５の手前側（下部側）にスライド操作した際には、それまでよりも深層側の会員カード５１を、選択可能会員カード５１´として表示させる一方で、タッチパネル３５の奥側（上部側）にスライド操作した際には、それまでよりも表層側の会員カード５１を、選択可能会員カード５１´として表示させてもよい。
【００５８】
ちなみに、図示する例では、会員カード管理プログラムに係るアプリケーションの立上げ時には、最も深層側に位置する会員カード５１のみが、選択可能会員カード５１´として表示される（図４参照）。この際、この選択可能会員カード５１´のさらに深層側には、会員カード５１が存在しないことが把握可能なようにして、各会員カード５１がモニタ３５に表示される。
【００５９】
続いて、切替操作手段３６ｆによって、順次に表層側寄りの会員カード５１を、選択可能会員カード５１´として表示させ（図５参照）、最後に、最も表層側に位置する会員カード５１を、選択可能会員カード５１´として表示させると、その直近の深層側の会員カード５１も、選択可能会員カード５１´として表示される（図６参照）。
【００６０】
さらに、ユーザが会員登録している店舗数が多く、カード表示画面６０に表示すべき会員カード５１が多い場合、カード表示手段３６ａは、その多数の会員カード５１中、一部の複数枚の会員カード５１を、重ねて、カード表示画面６０に表示させる。そして、上記切替操作手段３６ｆによる選択切替操作に連動させ、非表示の会員カード５１を、順次、カード表示画面６０に表示させる。この際、上記表示すべき会員カード５１の全てが順次重ねられていることが把握できる状態で、画面切替を行う。
【００６１】
ちなみに、図示する例では、カード表示画面６０において、選択可能会員カード５１´の上方（奥側）に表示させる会員カード５１は最大２枚とし、下方（手前側）に表示させる会員カード５１は最大３枚としている。
【００６２】
一方、カード表示画面６０に表示すべき会員カード５１が一枚のみの場合には、カード表示画面には、その会員カードが、選択可能会員カード５１´として、一枚のみ表示される。
【００６３】
また、カード表示画面６０に表示される会員カード５１は、全て、ユーザの会員のステータスが、本会員又は仮会員の何れかであるかが識別可能な状態で、表示される。具体的には、仮会員となっている会員カード５１は、グレーアウト又は半透明等させて、仮会員カード５１´´として表示し、それ以外の本会員になっている会員カード５１は、通常通り表示させ、両者を区別させる。
【００６４】
ちなみに、この仮会員カード５１´´となっている会員カード５１を、上記選択可能会員カード５１´とすることは勿論可能である。さらに、仮会員と本会員の違いについて説明すると、仮会員の場合には、その会員のユーザの情報が、店舗側から確認できない一方で、本会員の場合には、その会員のユーザの情報が、店舗側から確認できる。
【００６５】
また、このカード表示画面６０における会員カード５１を表示する部分以外の部分（具体的には、下端部）には、新たな会員カード５１を追加する（新たに会員登録する）追加ボタン３６ｇが表示されている。タッチパネル３５の該追加ボタン３６ｇ部分をタップすると、新たな会員カード５１を追加する画面が表示される。
【００６６】
具体的には、会員登録をしようとしている店舗のコードを手動で入力するか、或いは、該店舗のバーコードを、カメラ３４で読込むことにより、その店舗の会員登録を行う。この登録情報は、ネットワーク２０を介して、情報管理サーバ１０の記憶装置１１における会員テーブル１１ｃに記録される。
【００６７】
すなわち、この追加ボタン３６ｇは、会員カード５１を追加する（会員登録を行う）追加操作手段（会員登録操作手段）として、機能する。ちなみに、このバーコード取得や、入力したコードに誤りがあった場合には、エラーをモニタ３５に表示させてもよいが、エラーは表示させずに、カラーのカードボックスをモニタ３５に表示させてもよい。
【００６８】
上記選択カード表面表示画面７０には、図７に示す通り、カード表示画面６０と同じ位置に、上記追加ボタン３６ｇがタッチ操作（会員登録操作）可能に表示されるとともに、選択会員カード５１Ａの表面全体が表示される。
【００６９】
選択カード表麺表示画面７０が表示されたタッチパネル３５において、この選択会員カード５１Ａが表示された部分をタップすると、選択カード表面表示画面７０から、カード表示画面６０への切替が実行され、会員カード５１の選択が解除される。すなわち、上記タップ操作を可能にするタッチパネル３５のタップ操作手段は、会員カード５１の選択を解除する選択解除操作手段３６ｈになる。ちなみに、上記切替においては、会員カード５１の重ねられた束に、選択会員カード５１Ａが戻されるような演出がなされる。
【００７０】
また、選択カード表面表示画面７０が表示されたタッチパネル３５において、この選択会員カード５１Ａが表示された部分をスライド操作（さらに具体的には、該選択会員カード５１Ａの幅方向にスライド操作）すると、該タッチパネル３５では、該選択会員カード５１Ａが反転される演出（捲られる演出）が表示された後、選択カード表面表示画面７０から選択カード情報表示画面８０への切替が実行される。
【００７１】
すなわち、上記スライド操作を可能とするタッチパネル３５のスライド操作手段は、選択カード表面表示画面７０から選択カード情報表示画面８０への切替を行って、選択会員カード５１Ａの情報（裏面情報）を表示させる情報表示操作手段３６ｉになる。
【００７２】
上記選択カード情報表示画面８０は、店舗名が表示される店舗名表示部８０ａと、バーコードが表示されるバーコード表示部８０ｂと、ポイントが表示されるポイント表示部８０ｃと、ポイント表示部８０ｃに表示されたポイントの有効期限を表示する有効期限表示部８０ｄとを有している。
【００７３】
これらの表示部８０ａ，８０ｃ，８０ｄの表示する情報は、情報管理サーバ１０の記憶装置１１に記憶された会員データテーブル１１ｃの情報に基づいており、その取得先は、該情報管理サーバ１０自体であってもよいし、或は、この情報管理サーバ１０からユーザ端末３０に予めダウンロードしてもよい。
【００７４】
上記バーコード表示部８０ｂに表示されるバーコードは、その会員になった店舗の情報等から所定のアルゴリズムによって生成され、このバーコードを、該店舗において、バーコードリーダー等によって読込ませることにより、店舗端末４０は、上記した仮会員から本会員への変更を、情報管理サーバ１０に対して要求し、該情報管理サーバ１０は、この要求に基づいて、そのユーザのその店舗での本会員への変更を会員テーブル１１ｃ記録する。
【００７５】
また、この選択カード情報表示画面８０の上部（奥側端部）には、リターンボタン３６ｊが表示され、このリターンボタン３６ｊをタップすると、モニタ３５における選択カード情報表示画面８０からカード表示画面６０への切替が行われる。すなわち、このリターンボタン３６ｊは、上記切替を行ってカード表示画面６０に戻るリターン操作手段を構成する。
【００７６】
なお、選択カード情報表示画面８０において、スライド操作（具体的には、横方向へのスライド操作）を行った場合に、選択会員カード５１Ａの情報表示の解除を解除して、選択カード表面表示画面７０への切替を行うようにしてもよい。すなわち、このスライド操作を可能とするタッチパネル３５のスライド操作手段は、上記表示解除を行う表示解除操作手段３６ｋになる。
【００７７】
以上のように構成される情報管理システムと、ユーザ端末３０と、該ユーザ端末３０にインストールされるアプリケーションとによれば、ユーザは、上記カード形式での画面表示によって、店舗の情報を、迅速且つ容易に把握することが可能になる。
【００７８】
なお、ユーザ端末３０は、タッチパネル３５を備えた情報端末に限定されるものではなく、通常のＰＣ等であってもよい。この場合には、入力手段３５ａは、キーボード及びマウスになり、出力手段３５ｂは通常のモニタになり、選択操作手段３６ｅ、切替操作手段３６ｆ、追加操作手段３６ｇ、選択解除操作手段３６ｈ、情報表示操作手段３６ｉ、リターン操作手段３６ｊ又は表示解除操作手段３６ｋにおけるタップ操作は、マウスのクリック操作やダブルクリック操作に変更され、スライド操作は、マウスのホイールの回転操作やドラック操作や、ドラックアンドドロップ操作に変更される。
【符号の説明】
【００７９】
１０  情報管理サーバ
１１  記憶装置
１１ａ  店舗テーブル
１１ｂ  ユーザテーブル
１１ｃ  会員テーブル
１２  通信インターフェース（通信手段）
１３  制御部
２０  ネットワーク（インターネット，グローバルネットワーク）
３０  ユーザ端末（情報表示装置，スマートフォン，ＰＣ）
３１  記憶装置
３２  通信インターフェース（通信手段）
３３  ＧＰＳ（位置情報取得手段）
３４  カメラ（画像取得手段）
３５  タッチパネル（モニタ，入出力インターフェース）
３５ａ  入力手段（タッチセンサ）
３５ｂ  出力手段
３６  制御部
３６ａ  カード表示手段
３６ｂ  選択カード表面表示手段
３６ｃ  選択カード情報表示手段
３６ｄ  情報取得手段
３６ｅ  選択操作手段
３６ｆ  切替操作手段（スライド操作手段）
３６ｇ  追加操作手段
３６ｈ  選択解除操作手段
３６ｉ  情報表示操作手段
３６ｊ  リターン操作手段
３６ｋ  表示解除操作手段
４０  店舗端末
５１  会員カード（情報掲載カード，店舗カード）
５１ａ  店舗名表示部（メイン情報表示部）
５１ｂ  表面表示領域
５１´  選択可能会員カード（選択可能店舗カード，会員カード，店舗カード）
５１´´  仮会員カード（会員カード，店舗カード）
５１Ａ  選択会員カード（選択店舗カード，会員カード，店舗カード）
６０  カード表示画面
７０  選択カード表面表示画面
８０  選択カード情報表示画面
【図１】
2017126128.tif 000003
【図２】
2017126128.tif 000004
【図３】
2017126128.tif 000005
【図４】
2017126128.tif 000006
【図５】
2017126128.tif 000007
【図６】
2017126128.tif 000008
【図７】
2017126128.tif 000009
【図８】
2017126128.tif 000010